(57)【特許請求の範囲】
【請求項１】
平茶袋を収納する平茶袋用ケースの底ケースに装着される平茶袋用仕切であって、平茶袋を載置する載置部と、載置部の両端に下方に折り曲げ可能に設けた脚部とからなり、
載置部は、下方に向けて湾曲しており、
前記載置部の上端側及び下端側に、それぞれ平茶袋の一端を挿入可能な複数の挿入孔が設けられており、
上端側の各挿入孔は下側が凸となる右下りの円弧状に形成され、隣接する挿入孔は部分的に重なり合って配置されるとともに、各挿入孔の上端及び下端の位置が、それぞれ水平方向で同一直線上に位置するように配置されており、
下端側の各挿入孔は上側が凸となる右下りの円弧状に形成され、隣接する挿入孔は部分的に重なり合って配置されるとともに、各挿入孔の上端及び下端の位置が、それぞれ水平方向で同一直線上に位置するように配置されており、
上端側の挿入孔の開口幅と下端側の挿入孔の開口幅とは異なっており、
上端側の挿入孔の近傍に第１の目印が設けられ、下端側の挿入孔の近傍に第１の目印とは異なる第２の目印が設けられていることを特徴とする平茶袋用仕切。
【発明の詳細な説明】
【０００１】
【発明の属する技術分野】
本発明は、複数の平茶袋を収納する平茶袋用ケースにおいて、それぞれの平茶袋を仕切るために底ケースに装着される平茶袋用仕切に関する。
【０００２】
【従来の技術】
従来、平茶袋用仕切としては、図５に示す構造のものが使用されていた。この平茶袋用仕切１０は、１枚の厚紙を山折り及び谷折りすることによって形成された３つの載置部１１を有しており、使用の際は図７に示すように底ケース８に装着した後、載置部１１上に平茶袋９を載置し収納する。このとき、載置部１１上の平茶袋９のずれを防止するために、図６に示す押えパット１２が使用される。押えパット１２は、その上面に押えツメ１２ａを有しており、図７に示すようように押えツメ１２ａを平茶袋９の側面に係合させることによって平茶袋９のずれを防止する。
【０００３】
【発明が解決しようとする課題】
しかしながら、従来の平茶袋用仕切では、載置部を形成するために何回も山折り及び谷折りをする必要があり、その組立に多くの手間と時間を要するという問題があった。さらに、平茶袋のずれを防止するために平茶袋用仕切とは別に押えパットを使用する必要があるので、その分コストが高くなり、また、平茶袋を収納する際に押えツメを平茶袋に係合させる必要があるので、平茶袋の収納にも多くの手間と時間を要するという問題があった。
【０００４】
そこで、本発明が解決しようとする課題は、組立及び平茶袋の収納が容易であり、しかも平茶袋のずれを防止することができる平茶袋用仕切を提供することにある。
【０００５】
【課題を解決するための手段】
上記の課題を解決するために、本発明の平茶袋用仕切は、平茶袋を収納する平茶袋用ケースの底ケースに装着される平茶袋用仕切であって、平茶袋を載置する載置部と、載置部の両端に下方に折り曲げ可能に設けた脚部とからなり、載置部は、下方に向けて湾曲しており、前記載置部の上端側及び下端側に、それぞれ平茶袋の一端を挿入可能な複数の挿入孔が設けられており、上端側の各挿入孔は下側が凸となる右下りの円弧状に形成され、隣接する挿入孔は部分的に重なり合って配置されるとともに、各挿入孔の上端及び下端の位置が、それぞれ水平方向で同一直線上に位置するように配置されており、下端側の各挿入孔は上側が凸となる右下りの円弧状に形成され、隣接する挿入孔は部分的に重なり合って配置されるとともに、各挿入孔の上端及び下端の位置が、それぞれ水平方向で同一直線上に位置するように配置されており、上端側の挿入孔の開口幅と下端側の挿入孔の開口幅とは異なっており、上端側の挿入孔の近傍に第１の目印が設けられ、下端側の挿入孔の近傍に第１の目印とは異なる第２の目印が設けられていることを特徴とする。
【０００７】
【発明の実施の形態】
以下、本発明の実施の形態を図面に示す実施例に基づき説明する。
【０００８】
図１は、本発明の平茶袋用仕切を展開した状態の平面図である。本実施例の平茶袋用仕切１は、板厚が１ｍｍ程度の厚紙からなり、平茶袋を載置する載置部２と、載置部の両端に下方に折り曲げ可能に設けた脚部３とを有する。また、載置部２の上端側には、幅が１１０ｍｍの平茶袋の一端を挿入するために開口幅を１１０ｍｍより僅かに大きくした挿入孔４が３つ設けられ、載置部２の下端側には、幅が１１５ｍｍの平茶袋の一端を挿入するために開口幅を１１５ｍｍより僅かに大きくした挿入孔５が３つ設けられている。
【０００９】
挿入孔４は下側が凸となる右下りの円弧状に形成され、隣接する挿入孔４は部分的に重なり合って配置されるとともに、各挿入孔４の上端及び下端の位置が、それぞれ水平方向で同一直線上に位置するように配置されている。また、右端の挿入孔４の右下には、挿入孔４が幅１１０ｍｍの平茶袋用であることを識別するための第１の目印６が設けられている。
【００１０】
挿入孔５は上側が凸となる右下りの円弧状に形成され、挿入孔４と同様に、隣接する挿入孔５は部分的に重なり合って配置されるとともに、各挿入孔５の上端及び下端の位置が、それぞれ水平方向で同一直線上に位置するように配置されている。また、左端の挿入孔５の左上には、挿入孔５が幅１１５ｍｍの平茶袋用であることを識別するための第２の目印７が設けられている。
【００１１】
図２は、本発明の平茶袋用仕切を組み立てた状態の正面図である。同図に示すように、組み立て状態では、載置部２両端の脚部３，３は下方に向けて折り曲げられ、載置部２は下方に向けて湾曲している。
【００１２】
以下、本発明の平茶袋用仕切の使用方法について説明する。
【００１３】
図３は、本発明の平茶袋用仕切を平茶袋用ケースの底ケースに装着し、平茶袋を１つ収納した状態の平面図である。同図において、平茶袋用仕切１は、図２の組み立てた状態で、その脚部３，３の下端を底ケース８の上面に当接させて底ケース８に装着されている。図３に示す平茶袋９は、幅が１１５ｍｍのタイプのもものであるので、挿入孔５を使用して平茶袋９の下端を挿入し収納する。このとき、平茶袋用仕切１は、図２で説明したように、載置部２が下方に向けて湾曲しているので、平茶袋９の下端を挿入孔５に挿入する際、その作業が容易である。
【００１４】
次に、図４に示すように、残りの２つの挿入孔５にも平茶袋９の下端を挿入し収納する。そして、図示しないフタを被せることによって平茶袋９の収納作業が終了する。本実施例では載置部２が下方に向けて湾曲していることで、載置部２の両端が盛り上がるようになるので、平茶袋を収納したときにボリューム感が出て見映えがよくなる。また、収納された平茶袋９は、その下端が挿入孔５に挿入されているので、運搬中にずれることはない。
【００１５】
以上の説明では、平茶袋の幅が１１５ｍｍの場合について説明したが、平茶袋の幅が１１０ｍｍの場合は挿入孔４を使用して収納すればよい。このとき、平茶袋用仕切は、上下を逆転させて使用する。また、１１０ｍｍ及び１１５ｍｍ以外の幅を持つ平茶袋を収納する場合には、その幅に応じた開口幅を有する挿入孔を形成すればよい。
【００１６】
【発明の効果】
本発明によって以下の効果を奏する。
【００１７】
１．載置部の両端に設けた脚部を下方に折り曲げるだけで組み立てることができるので、組立が容易である。
【００１８】
２．載置部に平茶袋の一端を挿入可能な挿入孔を設けたので、収納された平茶袋のずれを防止することができる。したがって、従来使用していた押えパットが不必要となり、コストを低減できるとともに、部品点数が少なくなるので廃棄物の量も低減できる。また、平茶袋の収納は、挿入孔に平茶袋の一端を挿入するだけで済むので極めて容易である。
【００１９】
３．載置部上端側の挿入孔の開口幅と下端側の挿入孔の開口幅とを異ならせているので、１枚の仕切で２種類の幅の平茶袋に対応可能である。
【００２０】
４．載置部を下方に向けて湾曲させているので、平茶袋の一端を挿入孔に挿入する際、その作業が容易となる。また、載置部の両端が盛り上がるようになるので、平茶袋を収納したときにボリューム感が出て見映えがよくなる。
【図面の簡単な説明】
【図１】本発明の平茶袋用仕切を展開した状態の平面図である。
【図２】  本発明の平茶袋用仕切を組み立てた状態の正面図である。
【図３】本発明の平茶袋用仕切を平茶袋用ケースの底ケースに装着し、平茶袋を１つ収納した状態の平面図である。
【図４】図３の平茶袋用仕切に平茶袋を３つ収納した状態の平面図である。
【図５】従来の平茶袋用仕切の斜視図である。
【図６】図５の平茶袋用仕切とともに使用される従来の押えパットの斜視図である。
【図７】図５の平茶袋用仕切と図６の押えパットの使用状態を示す縦断面図である。
【符号の説明】
１  平茶袋用仕切
２  載置部
３  脚部
４、５  挿入孔
６、７  目印
８  底ケース
９  平茶袋
【図１】
0004139120.tif 000002
【図２】
0004139120.tif 000003
【図３】
0004139120.tif 000004
【図４】
0004139120.tif 000005
【図５】
0004139120.tif 000006
【図６】
0004139120.tif 000007
【図７】
0004139120.tif 000008